(57)【要約】【課題】逆流防止用およびバイパス用のダイオードを別途用意することなく、複数個を簡単に直列接続可能にする。【解決手段】トランス６の１次巻線６ａに対する電圧の断続的な印加に起因して２次巻線６ｂに誘起される電圧を整流平滑して直流電圧Ｖｄｃを生成して正出力部８ａと負出力部８ｂとの間に出力する整流回路７および平滑回路８と、整流平滑回路４と、直流電圧Ｖｄｃを外部に出力するための正出力端子１２および負出力端子１３と、直列接続用端子１４と、逆流防止用整流素子１０と、バイパス用整流素子１１とを備え、直列接続用端子１４は正出力部８ａに接続され、負出力端子１３は負出力部８ｂに接続され、逆流防止用整流素子１０は正出力部８ａと正出力端子１２との間に正出力端子１２に向かう方向を順方向として接続され、バイパス用整流素子１１は各出力部８ａ，８Ｂ間に正出力部８ａに向かう方向を順方向として接続されている。【選択図】図１
2014147255.tif 000002
【特許請求の範囲】
【請求項１】
トランスの一次巻線に対する電圧の断続的な印加に起因して当該トランスの二次巻線に誘起される電圧を整流平滑して直流電圧を生成すると共に当該直流電圧を正出力部と負出力部との間に出力する整流平滑回路と、前記直流電圧を外部に出力するための正出力端子および負出力端子と、直列接続用端子と、逆流防止用整流素子と、バイパス用整流素子とを備え、
前記直列接続用端子は、前記正出力部に接続され、
前記負出力端子は、前記負出力部に接続され、
前記逆流防止用整流素子は、前記正出力部と前記正出力端子との間に当該正出力端子に向かう方向を順方向として接続され、
前記バイパス用整流素子は、前記正出力部と前記負出力部との間に当該正出力部に向かう方向を順方向として接続されている電源装置。
【請求項２】
前記直列接続用端子は、金属導体からなるバスバーを介して前記正出力部に接続され、
前記バスバーは、前記逆流防止用整流素子および前記バイパス用整流素子のうちの少なくとも１つの整流素子が取り付けられることにより、当該少なくとも１つの整流素子の放熱器として機能する請求項１記載の電源装置。
【請求項３】
トランスの一次巻線に対する電圧の断続的な印加に起因して当該トランスの二次巻線に誘起される電圧を整流平滑して直流電圧を生成すると共に当該直流電圧を正出力部と負出力部との間に出力する整流平滑回路と、前記直流電圧を外部に出力するための正出力端子および負出力端子と、直列接続用端子と、逆流防止用整流素子と、バイパス用整流素子とを備え、
前記直列接続用端子は、前記負出力部に接続され、
前記正出力端子は、前記正出力部に接続され、
前記逆流防止用整流素子は、前記負出力部と前記負出力端子との間に当該負出力部に向かう方向を順方向として接続され、
前記バイパス用整流素子は、前記正出力部と前記負出力部との間に当該正出力部に向かう方向を順方向として接続されている電源装置。
【請求項４】
前記直列接続用端子は、金属導体からなるバスバーを介して前記負出力部に接続され、
前記バスバーは、前記逆流防止用整流素子および前記バイパス用整流素子のうちの少なくとも１つの整流素子が取り付けられることにより、当該少なくとも１つの整流素子の放熱器として機能する請求項３記載の電源装置。
【請求項５】
請求項１または２記載の電源装置を複数備えて構成され、
前記複数の電源装置は、高電位側の当該電源装置の前記負出力端子と低電位側の当該電源装置の前記直列接続用端子とが接続されることによって直列接続されると共に、加算された当該各電源装置の前記直流電圧を、最も高電位側に配設された前記電源装置の前記正出力端子と、最も低電位側に配設された前記電源装置の前記負出力端子との間に出力する電源システム。
【請求項６】
請求項３または４記載の電源装置を複数備えて構成され、
前記複数の電源装置は、高電位側の当該電源装置の前記直列接続用端子と低電位側の当該電源装置の前記正出力端子とが接続されることによって直列接続されると共に、加算された当該各電源装置の前記直流電圧を、最も高電位側に配設された前記電源装置の前記正出力端子と、最も低電位側に配設された前記電源装置の前記負出力端子との間に出力する電源システム。
【発明の詳細な説明】
【技術分野】
【０００１】
本発明は、複数個を直列可能に構成されて、特に蓄電池を充電する際に好適な電源装置、およびこの電源装置が複数個直列接続されて構成された電源システムに関するものである。
【背景技術】
【０００２】
複数の電源装置を直列に接続する構成として、下記の特許文献１に開示された構成が知られている。この構成では、逆流防止用ダイオードと出力電流をバイパスするためのダイオード（以下、バイパス用ダイオードともいう）とが各電源装置（ＤＣ／ＤＣコンバータ）の出力端子に外付けされ、かつこれらの２つのダイオードが外付けされた電源装置が複数直列に接続されることで、負荷に対して電流（負荷電流）を出力する。
【０００３】
この構成によれば、いずれかの電源装置が動作を停止した場合であっても、動作を停止した電源装置の出力電圧がこの電源装置に外付けされた逆流防止用ダイオードの順電圧（順方向電圧）以下になって、この電源装置に外付けされたバイパス用ダイオードがオン状態に移行するため、このバイパス用ダイオードが、迂回路として機能して、動作状態の他の電源装置の出力電流を通過させることで、負荷への出力電流の供給が継続される。
【先行技術文献】
【特許文献】
【０００４】
【特許文献１】特開平５−２７６７３６号公報（第２−３頁、第１図）
【発明の概要】
【発明が解決しようとする課題】
【０００５】
ところが、上記の電源装置には以下のような解決すべき課題が存在している。すなわち、この電源装置には、複数個の電源装置を直列接続して電源システムを構成する際に、逆流防止用ダイオードとバイパス用ダイオードとを直列接続する電源装置の個数分だけ別途用意し、かつ各電源装置にそれぞれ外付けしなければならず、その作業が煩雑であるという解決すべき課題が存在している。
【０００６】
本発明は、かかる課題を解決するためになされたものであり、逆流防止用ダイオードとバイパス用ダイオードとを別途用意することなく、複数個を簡単に直列接続して使用し得る電源装置、およびこの電源装置を用いた電源システムを提供することを主目的とする。
【課題を解決するための手段】
【０００７】
上記目的を達成すべく、本発明に係る電源装置は、トランスの一次巻線に対する電圧の断続的な印加に起因して当該トランスの二次巻線に誘起される電圧を整流平滑して直流電圧を生成すると共に当該直流電圧を正出力部と負出力部との間に出力する整流平滑回路と、前記直流電圧を外部に出力するための正出力端子および負出力端子と、直列接続用端子と、逆流防止用整流素子と、バイパス用整流素子とを備え、前記直列接続用端子は、前記正出力部に接続され、前記負出力端子は、前記負出力部に接続され、前記逆流防止用整流素子は、前記正出力部と前記正出力端子との間に当該正出力端子に向かう方向を順方向として接続され、前記バイパス用整流素子は、前記正出力部と前記負出力部との間に当該正出力部に向かう方向を順方向として接続されている。
【０００８】
また、本発明に係る電源装置は、前記直列接続用端子は、金属導体からなるバスバーを介して前記正出力部に接続され、前記バスバーは、前記逆流防止用整流素子および前記バイパス用整流素子のうちの少なくとも１つの整流素子が取り付けられることにより、当該少なくとも１つの整流素子の放熱器として機能する。
【０００９】
また、本発明に係る電源装置は、トランスの一次巻線に対する電圧の断続的な印加に起因して当該トランスの二次巻線に誘起される電圧を整流平滑して直流電圧を生成すると共に当該直流電圧を正出力部と負出力部との間に出力する整流平滑回路と、前記直流電圧を外部に出力するための正出力端子および負出力端子と、直列接続用端子と、逆流防止用整流素子と、バイパス用整流素子とを備え、前記直列接続用端子は、前記負出力部に接続され、前記正出力端子は、前記正出力部に接続され、前記逆流防止用整流素子は、前記負出力部と前記負出力端子との間に当該負出力部に向かう方向を順方向として接続され、前記バイパス用整流素子は、前記正出力部と前記負出力部との間に当該正出力部に向かう方向を順方向として接続されている。
【００１０】
また、本発明に係る電源装置は、前記直列接続用端子は、金属導体からなるバスバーを介して前記負出力部に接続され、前記バスバーは、前記逆流防止用整流素子および前記バイパス用整流素子のうちの少なくとも１つの整流素子が取り付けられることにより、当該少なくとも１つの整流素子の放熱器として機能する。
【００１１】
また、本発明に係る電源システムは、上記の電源装置を複数備えて構成され、前記複数の電源装置は、高電位側の当該電源装置の前記負出力端子と低電位側の当該電源装置の前記直列接続用端子とが接続されることによって直列接続されると共に、加算された当該各電源装置の前記直流電圧を、最も高電位側に配設された前記電源装置の前記正出力端子と、最も低電位側に配設された前記電源装置の前記負出力端子との間に出力する。
【００１２】
また、本発明に係る電源システムは、上記の電源装置を複数備えて構成され、前記複数の電源装置は、高電位側の当該電源装置の前記直列接続用端子と低電位側の当該電源装置の前記正出力端子とが接続されることによって直列接続されると共に、加算された当該各電源装置の前記直流電圧を、最も高電位側に配設された前記電源装置の前記正出力端子と、最も低電位側に配設された前記電源装置の前記負出力端子との間に出力する。
【発明の効果】
【００１３】
本発明の電源装置では、逆流防止用整流素子が正出力部と正出力端子との間に正出力端子に向かう方向を順方向として接続されると共に、バイパス用整流素子が正出力部と負出力部との間に正出力部に向かう方向を順方向として接続されている。
【００１４】
したがって、この電源装置によれば、複数個を直列接続して電源システムとして使用する場合であっても、逆流防止用整流素子およびバイパス用整流素子を別途用意して外付けする必要がないため、極めて簡単な作業で複数個を直列接続することができる。また、この電源装置では、正出力部に整流素子を介在させることなく接続（直接接続）された直列接続用端子を備えているため、この直列接続用端子を使用して電源装置を複数個を直列に接続して電源システムを構成することにより、逆流防止用整流素子の存在に起因する電圧降下を逆流防止用整流素子一つ分の順方向電圧だけに抑えることができる。
【００１５】
また、本発明の電源装置および電源システムによれば、直列接続用端子が金属導体からなるバスバーを介して正出力部に接続され、逆流防止用整流素子およびバイパス用整流素子のうちの少なくとも１つの整流素子がこのバスバーに取り付けられることにより、バスバーがこの少なくとも１つの整流素子の放熱器として機能するため、この少なくとも１つの整流素子で発生する熱を効率よく放熱することができる。
【００１６】
本発明の電源装置では、逆流防止用整流素子が負出力部と負出力端子との間に負出力部に向かう方向を順方向として接続されると共に、バイパス用整流素子が正出力部と負出力部との間に正出力部に向かう方向を順方向として接続されている。
【００１７】
したがって、この電源装置によれば、複数個を直列接続して電源システムとして使用する場合であっても、逆流防止用整流素子およびバイパス用整流素子を別途用意して外付けする必要がないため、極めて簡単な作業で複数個を直列接続することができる。また、この電源装置では、負出力部に整流素子を介在させることなく接続（直接接続）された直列接続用端子を備えているため、この直列接続用端子を使用して電源装置を複数個を直列に接続して電源システムを構成することにより、逆流防止用整流素子の存在に起因する電圧降下を逆流防止用整流素子一つ分の順方向電圧だけに抑えることができる。
【００１８】
また、本発明の電源装置および電源システムによれば、直列接続用端子が金属導体からなるバスバーを介して負出力部に接続され、逆流防止用整流素子およびバイパス用整流素子のうちの少なくとも１つの整流素子がこのバスバーに取り付けられることにより、バスバーがこの少なくとも１つの整流素子の放熱器として機能するため、この少なくとも１つの整流素子で発生する熱を効率よく放熱することができる。
【図面の簡単な説明】
【００１９】
【図１】電源装置１の構成を示す構成図である。
【図２】逆流防止用整流素子１０およびバイパス用整流素子１１がバスバー１５に取り付けられている状態を示す説明図である。
【図３】電源装置１，２１の出力電流に対する出力電圧の特性を示す出力特性図である。
【図４】電源システムＳＹ１の構成を示す構成図である。
【図５】電源システムＳＹ１，ＳＹ２の出力電流に対する出力電圧の特性を示す出力特性図である。
【図６】電源装置２１の構成を示す構成図である。
【図７】電源システムＳＹ２の構成を示す構成図である。
【発明を実施するための形態】
【００２０】
以下、電源装置および電源システムの実施の形態について、図面を参照しつつ説明する。
【００２１】
図１の電源装置１は、一例として、正入力端子２、負入力端子３、整流平滑回路４、スイッチング回路５、トランス６、整流回路７、平滑回路８、制御回路９、逆流防止用整流素子１０、バイパス用整流素子１１、正出力端子１２、負出力端子１３、直列接続用端子１４およびバスバー１５を備えて、正入力端子２および負入力端子３間に入力される入力電圧（本例では一例として交流電圧Ｖａｃであるが、直流電圧でもよい）を直流電圧Ｖｄｃに変換して出力する絶縁型コンバータとして構成されている。なお、電源装置１は、絶縁型コンバータである限り、フォーワード方式、フライバック方式、ブリッジ方式およびプッシュプル方式など種々の絶縁型コンバータで構成することができる。
【００２２】
整流平滑回路４は、交流電圧Ｖａｃを整流および平滑することにより、直流電圧に変換して出力する。なお、交流電圧Ｖａｃに代えて直流電圧を入力する場合には、整流平滑回路４に代えて平滑回路を使用する構成を採用することもできるし、さらに、入力する直流電圧のリップルが少ない場合には、整流平滑回路４を省く構成を採用することもできる。スイッチング回路５は、不図示のスイッチ素子（トランジスタなど）を有し、このスイッチ素子が制御回路９によって制御されてオン・オフを繰り返すことにより、整流平滑回路４から出力される直流電圧をスイッチングしてトランス６に断続的に印加する。
【００２３】
トランス６は、一例として、互いに電気的に絶縁された１次巻線６ａおよび２次巻線６ｂを有している。また、トランス６は、スイッチング回路５による１次巻線６ａに対する直流電圧の断続的な印加に起因して２次巻線６ｂに交流電圧を誘起させる。
【００２４】
整流回路７は、２次巻線６ｂに誘起される交流電圧を整流することにより、脈流電圧に変換して出力する。平滑回路８は、整流回路７と相俟って整流平滑回路を構成し、整流回路７によって整流された脈流電圧を平滑することによって直流電圧Ｖｄｃに変換して、正出力部８ａと負出力部８ｂとの間から出力する。また、平滑回路８は、不図示の電圧検出部および電流検出部を備えている。電圧検出部は、例えば、分圧抵抗回路で構成されて、直流電圧Ｖｄｃを検出すると共に、直流電圧Ｖｄｃの電圧値に応じて電圧値が変化する電圧検出信号Ｓｖを生成して制御回路９に出力する。また、電流検出部は、例えば１Ω未満の微小抵抗値の検出抵抗で構成されて、正出力部８ａおよび負出力部８ｂから出力される直流電流Ｉｄｃを検出すると共に、直流電流Ｉｄｃの電流値に応じて電圧値が変化する電流検出信号Ｓｉを生成して制御回路９に出力する。
【００２５】
制御回路９は、電圧検出信号Ｓｖに基づいて現在の直流電圧Ｖｄｃの電圧値を算出すると共に、電流検出信号Ｓｉに基づいて現在の直流電流Ｉｄｃの電流値を算出する。また、制御回路９は、算出した現在の直流電圧Ｖｄｃの電圧値および現在の直流電流Ｉｄｃの電流値に基づいて、直流電圧Ｖｄｃおよび直流電流Ｉｄｃが図３に示すような関係（電流−電圧特性）で変化するように、つまり、定電流電圧垂下型の過電流保護特性を有するようにスイッチング回路５のスイッチ素子を制御する。
【００２６】
具体的には、制御回路９は、現在の直流電圧Ｖｄｃの電圧値が予め規定された基準電圧値Ｖｒｅｆ未満のときには、スイッチング回路５のスイッチ素子に対するデューティ比制御（または周波数制御）を実行することにより、現在の直流電流Ｉｄｃの電流値を予め規定された基準電流値Ｉｒｅｆにする定電流制御を実行する。また、制御回路９は、現在の直流電圧Ｖｄｃの電圧値が基準電圧値Ｖｒｅｆに達したときには、スイッチング回路５のスイッチ素子に対するデューティ比制御（または周波数制御）を実行することにより、現在の直流電圧Ｖｄｃの電圧値を基準電圧値Ｖｒｅｆに維持する定電圧制御を実行する。
【００２７】
逆流防止用整流素子１０は、一例としてダイオードで構成されて、平滑回路８の正出力部８ａと正出力端子１２との間に、正出力端子１２に向かう方向を順方向として予め接続されている。バイパス用整流素子１１は、平滑回路８の正出力部８ａと負出力部８ｂとの間に、正出力部８ａに向かう方向を順方向として予め接続されている。具体的には、逆流防止用整流素子１０およびバイパス用整流素子１１は、図２に示すように、電源装置１を構成する他の電子部品（不図示）や、正出力端子１２、負出力端子１３および直列接続用端子１４と同様にして、回路基板１６上に共に実装されて、上記の部位に予め接続されている（つまり、電源装置１に内蔵されている）。
【００２８】
また、逆流防止用整流素子１０およびバイパス用整流素子１１のうちの少なくとも１つの整流素子（本例では、両整流素子１０，１１）は、後述のバスバー１５に、電気的に絶縁され、かつ熱伝導性の良好な状態で取り付けられている。この構成により、バスバー１５は、この１つの整流素子の放熱器として機能する。本例では一例として、バスバー１５は、図２に示すように回路基板１６上に実装されている。
【００２９】
直列接続用端子１４は、平滑回路８の正出力部８ａに接続されている。具体的には、直列接続用端子１４は、金属導体からなるバスバー１５を介して正出力部８ａに接続されている。負出力端子１３は、平滑回路８の負出力部８ｂに接続されている。
【００３０】
次に、電源装置１の動作について、負荷の一例である蓄電池ユニット５０（複数の蓄電池を直列接続して構成したユニット）を充電する例を挙げて説明する。
【００３１】
まず、１つの電源装置１で蓄電池ユニット５０を充電する動作について説明する。この場合には、電源装置１の正出力端子１２が蓄電池ユニット５０の正極に接続されると共に、負出力端子１３が蓄電池ユニット５０の負極に接続される。
【００３２】
この状態において、電源装置１では、制御回路９は、現在の直流電圧Ｖｄｃの電圧値が基準電圧値Ｖｒｅｆ未満のときには、基準電圧値Ｖｒｅｆに達するまでは、現在の直流電流Ｉｄｃの電流値を基準電流値Ｉｒｅｆに規定して蓄電池ユニット５０に出力する定電流制御を実行する。これにより、蓄電池ユニット５０に対する定電流（基準電流値Ｉｒｅｆ）での充電が行われて、蓄電池ユニット５０の充電電圧（つまり、直流電圧Ｖｄｃ）が上昇する。
【００３３】
その後、蓄電池ユニット５０の充電電圧（直流電圧Ｖｄｃ）の電圧値が基準電圧値Ｖｒｅｆに達したときには、制御回路９は、現在の直流電圧Ｖｄｃの電圧値を基準電圧値Ｖｒｅｆに維持した状態で蓄電池ユニット５０を充電する定電圧制御を実行する。この場合、現在の直流電流Ｉｄｃの電流値は、基準電流値Ｉｒｅｆから徐々に減少し、制御回路９は、現在の直流電流Ｉｄｃの電流値が予め規定された下限電流値Ｉｍｉｎ（＜基準電流値Ｉｒｅｆ）に達した時点で、スイッチング回路５のスイッチ素子をオフ状態に制御することにより、直流電圧Ｖｄｃの生成動作を停止する（直流電圧Ｖｄｃがゼロボルトになる）。これにより、蓄電池ユニット５０に対する充電が完了し、蓄電池ユニット５０は基準電圧値Ｖｒｅｆから逆流防止用整流素子１０の順方向電圧（Ｖｆ１）を減じた電圧（Ｖｒｅｆ−Ｖｆ１）に充電される。
【００３４】
次いで、図４に示すように、複数（本例では一例として２つ）の電源装置１（１ａ，１ｂ）を直列接続して構成された電源システムＳＹ１で蓄電池ユニット５０を充電する動作について説明する。
【００３５】
この場合には、同図に示すように、各電源装置１ａ，１ｂは、高電位側の電源装置１ａの負出力端子１３と低電位側の電源装置１ｂの直列接続用端子１４とが接続線で接続されることによって互いに直列に接続される。また、最も高電位側に配設された電源装置（本例では電源装置１ａ）の正出力端子１２が蓄電池ユニット５０の正極に接続線で接続され、最も低電位側に配設された電源装置（本例では電源装置１ｂ）の負出力端子１３が蓄電池ユニット５０の負極に接続線で接続される。したがって、各電源装置１ａ，１ｂの直流電圧Ｖｄｃが加算されて、電源装置１ａの正出力端子１２と電源装置１ｂの負出力端子１３との間から蓄電池ユニット５０に出力される。
【００３６】
なお、電源装置１ａ，１ｂは、同一に構成されているため、図３に示す電流−電圧特性をそれぞれ有している。したがって、電源システムＳＹ１は、図５に示す電流−電圧特性、つまり、電源装置１ａ，１ｂ全体の出力電圧が電圧値（Ｖｒｅｆ×２）未満のとき（つまり、各電源装置１ａ，１ｂの直流電圧Ｖｄｃの電圧値が基準電圧値Ｖｒｅｆ未満のとき）には、現在の直流電流Ｉｄｃの電流値を予め規定された基準電流値Ｉｒｅｆにする定電流制御を実行し、電源装置１ａ，１ｂ全体の出力電圧が電圧値（Ｖｒｅｆ×２）に達したとき（つまり、各電源装置１ａ，１ｂの直流電圧Ｖｄｃの電圧値が基準電圧値Ｖｒｅｆに達したとき）には、現在の出力電圧の電圧値をＶｒｅｆ×２に維持する定電圧制御を実行する。
【００３７】
この状態において、電源装置１ａ，１ｂ（電源システムＳＹ１）では、それぞれの制御回路９が、現在の直流電圧Ｖｄｃの電圧値が基準電圧値Ｖｒｅｆ未満のときには、基準電圧値Ｖｒｅｆに達するまでは、現在の直流電流Ｉｄｃの電流値を基準電流値Ｉｒｅｆに規定して蓄電池ユニット５０に出力する定電流制御を実行する。これにより、蓄電池ユニット５０に対する定電流（基準電流値Ｉｒｅｆ）での充電が行われて、蓄電池ユニット５０の充電電圧（つまり、直流電圧Ｖｄｃ）は上昇する。
【００３８】
その後、各電源装置１ａ，１ｂの直流電圧Ｖｄｃの電圧値が基準電圧値Ｖｒｅｆに達したとき、つまり、蓄電池ユニット５０の充電電圧の電圧値が基準電圧値Ｖｒｅｆの２倍に達したときには、各制御回路９は、現在の直流電圧Ｖｄｃの電圧値を基準電圧値Ｖｒｅｆに維持した状態で蓄電池ユニット５０を充電する定電圧制御を実行する。この場合、各電源装置１ａ，１ｂから出力されている直流電流Ｉｄｃの電流値は、基準電流値Ｉｒｅｆから徐々にそれぞれ減少する。各制御回路９は、現在の直流電流Ｉｄｃの電流値が下限電流値Ｉｍｉｎ（＜基準電流値Ｉｒｅｆ）に達した時点で、スイッチング回路５のスイッチ素子をオフ状態に制御することにより、直流電圧Ｖｄｃの生成動作を停止する（直流電圧Ｖｄｃがゼロボルトになる）。これにより、電源装置１ａ，１ｂ（電源システムＳＹ１）による蓄電池ユニット５０に対する充電が完了する。
【００３９】
この電源システムＳＹ１では、上記したように、直列接続専用の直列接続用端子１４を備えた複数の電源装置１を、高電位側の電源装置１ａの負出力端子１３と低電位側の電源装置１ｂの直列接続用端子１４とを接続することによって低電位側の電源装置１ｂの逆流防止用整流素子１０をバイパスした状態で直列に接続し、かつ最も高電位側の電源装置（本例では電源装置１ａ）の逆流防止用整流素子１０だけで電流の逆流を防止する。
【００４０】
これにより、この電源システムＳＹ１では、直列される電源装置１の数がいくつであっても、基準電圧値Ｖｒｅｆに電源装置１の数（ｎ個）を乗算した電圧値から、逆流防止用整流素子１０一つ分の順方向電圧（Ｖｆ１）を減じた電圧（Ｖｒｅｆ×ｎ−Ｖｆ１）に蓄電池ユニット５０を充電することが可能になっている。したがって、上記した従来の電源装置の直列接続構造で蓄電池ユニット５０を充電する構成のように基準電圧値Ｖｒｅｆに電源装置１の数（ｎ個）を乗算した電圧値から各電源装置に外付けしたすべての逆流防止用整流素子１０の順方向電圧の合計電圧値を減ずる構成とは異なり、逆流防止用整流素子１０およびバイパス用整流素子１１を各電源装置１に外付けすることなく、より高い電圧値に蓄電池ユニット５０を充電することが可能になっている。
【００４１】
なお、この電源システムＳＹ１でも、従来の直列接続構造で複数の電源装置を直列接続した電源システムと同様にして、蓄電池ユニット５０の充電中にいずれかの電源装置１からの直流電圧Ｖｄｃの出力が停止した場合には、この電源装置１に予め配設されている（内蔵されている）バイパス用整流素子１１がオン状態に移行して、この電源装置１をバイパスすることで、蓄電池ユニット５０の充電が続行される。
【００４２】
このように、この電源装置１では、逆流防止用整流素子１０が平滑回路８の正出力部８ａと正出力端子１２との間に正出力端子１２に向かう方向を順方向として予め接続されると共に、バイパス用整流素子１１が平滑回路８の正出力部８ａと負出力部８ｂとの間に正出力部８ａに向かう方向を順方向として予め接続されている。したがって、この電源装置１によれば、複数個を直列接続して電源システムＳＹ１として使用する場合であっても、逆流防止用整流素子およびバイパス用整流素子を別途用意して外付けする必要がないため、極めて簡単な作業で複数個を直列接続することができる。
【００４３】
また、この電源装置１によれば、平滑回路８の正出力部８ａに整流素子を介在させることなく接続（つまり、直接接続）された直列接続用端子１４を備えているため、この直列接続用端子１４を使用して複数個を直列に接続することにより、逆流防止用整流素子１０の存在に起因する電圧降下を逆流防止用整流素子１０一つ分の順方向電圧Ｖｆだけに抑えることができる。
【００４４】
また、この電源装置１によれば、逆流防止用整流素子１０およびバイパス用整流素子１１のうちの少なくとも１つの整流素子（本例では逆流防止用整流素子１０）が、バスバー１５に、電気的に絶縁され、かつ熱伝導性の良好な状態で取り付けられているため、この少なくとも１つの整流素子で発生する熱を効率よく放熱することができる。
【００４５】
なお、上記の電源装置１では、直列接続用端子１４を正出力部８ａに接続する構成を採用しているが、図６に示す電源装置２１のように、負出力部８ｂに接続する構成を採用することもできる。以下、この電源装置２１について図面を参照して説明する。なお、電源装置１と同一の構成については、同一の符号を付して重複する説明を省略する。
【００４６】
図６に示す電源装置２１は、一例として、正入力端子２、負入力端子３、整流平滑回路４、スイッチング回路５、トランス６、整流回路７、平滑回路８、制御回路９、逆流防止用整流素子１０、バイパス用整流素子１１、正出力端子１２、負出力端子１３、直列接続用端子１４およびバスバー１５を備え、逆流防止用整流素子１０、直列接続用端子１４およびバスバー１５の接続位置を除き、電源装置１と同一に構成されている。以下、主として、相違する構成について説明する。
【００４７】
逆流防止用整流素子１０は、一例としてダイオードで構成されて、平滑回路８の負出力部８ｂと負出力端子１３との間に、負出力部８ｂに向かう方向を順方向として予め接続されている。直列接続用端子１４は、平滑回路８の負出力部８ｂに接続されている。具体的には、直列接続用端子１４は、金属導体からなるバスバー１５を介して負出力部８ｂに接続されている。また、正出力端子１２は、平滑回路８の正出力部８ａに接続されている。
【００４８】
次に、電源装置２１の動作について、負荷の一例である蓄電池ユニット５０を充電する例を挙げて説明する。
【００４９】
まず、１つの電源装置２１で蓄電池ユニット５０を充電する動作について説明する。この場合には、電源装置２１は、その正出力端子１２が蓄電池ユニット５０の正極に接続されると共に、その負出力端子１３が蓄電池ユニット５０の負極に接続される。また、電源装置２１は、上記した電源装置１と同様に動作して蓄電池ユニット５０を電圧（Ｖｒｅｆ−Ｖｆ１）に充電する。
【００５０】
次いで、図７に示すように、複数（本例では一例として２つ）の電源装置２１（２１ａ，２１ｂ）を直列接続して構成された電源システムＳＹ２で蓄電池ユニット５０を充電する動作について説明する。
【００５１】
この場合には、同図に示すように、各電源装置２１ａ，２１ｂは、高電位側の電源装置２１ａの直列接続用端子１４と低電位側の電源装置２１ｂの正出力端子１２とが接続されることによって互いに直列に接続される。また、最も高電位側に配設された電源装置（本例では電源装置２１ａ）の正出力端子１２が蓄電池ユニット５０の正極に接続され、最も低電位側に配設された電源装置（本例では電源装置２１ｂ）の負出力端子１３が蓄電池ユニット５０の負極に接続される。したがって、各電源装置２１ａ，２１ｂの直流電圧Ｖｄｃが加算されて、電源装置２１ａの正出力端子１２と電源装置２１ｂの負出力端子１３との間から蓄電池ユニット５０に出力される。
【００５２】
この電源装置２１ａ，２１ｂ（電源システムＳＹ２）では、最も低電位側に配設された電源装置（本例では電源装置２１ｂ）の逆流防止用整流素子１０だけで電流の逆流を防止している点を除き、上記した電源システムＳＹ１と同様にして、蓄電池ユニット５０を電圧（Ｖｒｅｆ×ｎ−Ｖｆ１）に充電する。なお、この例ではｎ＝２である。
【００５３】
したがって、この電源装置２１においても、上記した電源装置１と同様にして逆流防止用整流素子１０およびバイパス用整流素子１１が予め接続されているため、複数個を直列接続して電源システムＳＹ２として使用する場合であっても、逆流防止用整流素子およびバイパス用整流素子を別途用意して外付けする必要がないため、極めて簡単な作業で複数個を直列接続することができる。
【００５４】
また、この電源装置２１では、平滑回路８の負出力部８ｂに整流素子を介在させることなく接続（つまり、直接接続）された直列接続用端子１４を備えているため、この直列接続用端子１４を使用して複数の電源装置２１を直列に接続して構成された電源システムＳＹ２によれば、逆流防止用整流素子１０の存在に起因する電圧降下を逆流防止用整流素子１０一つ分の順方向電圧Ｖｆだけに抑えることができる。
【００５５】
また、この電源装置２１によれば、逆流防止用整流素子１０およびバイパス用整流素子１１のうちの少なくとも１つの整流素子（本例では逆流防止用整流素子１０）が、バスバー１５に、電気的に絶縁され、かつ熱伝導性の良好な状態で取り付けられているため、この少なくとも１つの整流素子で発生する熱を効率よく放熱することができる。
【符号の説明】
【００５６】
１，２１  電源装置
６  トランス
６ａ  １次巻線
６ｂ  ２次巻線
８  平滑回路
８ａ  正出力部
８ｂ  負出力部
１０  逆流防止用整流素子
１１  バイパス用整流素子
１２  正出力端子
１３  負出力端子
１４  直列接続用端子
１５  バスバー
Ｖｄｃ  直流電圧
【図１】
2014147255.tif 000003
【図２】
2014147255.tif 000004
【図３】
2014147255.tif 000005
【図４】
2014147255.tif 000006
【図５】
2014147255.tif 000007
【図６】
2014147255.tif 000008
【図７】
2014147255.tif 000009